(57)【要約】【課題】相手コネクタに対する調芯の為の可動が可能であり、取り付け先への取り付け作業を容易にすることができる中継用コネクタユニットを提供すること。【解決手段】二つのコネクタ嵌合口１２ａ、１３ａのうち一方のコネクタ嵌合口１３ａ側から複数の電線Ｗが接続する中継用コネクタ１０と、中継用コネクタ１０を取り付け先に固定するための部材であり、一方のコネクタ嵌合口１３ａ側から中継用コネクタ１０を調芯のための可動ができるように係止する調芯可能係止部７０を含む固定部材５０と、を有する中継用コネクタユニット１において、固定部材５０は、一方のコネクタ嵌合口１３ａに向ける側の端面６０ａから中継用コネクタ１０の軸方向に沿って複数の電線Ｗを固定部材５０の内方に引き込んだ位置で複数の電線Ｗを束ねるように外周Ｗａを囲う電線束外周囲い部８０を有する。【選択図】図１
2015041476.tif 000002
【特許請求の範囲】
【請求項１】
二つのコネクタ嵌合口のうち一方のコネクタ嵌合口側から複数の電線が接続する中継用コネクタと、前記中継用コネクタを取り付け先に固定するための部材であり、前記一方のコネクタ嵌合口側から前記中継用コネクタを調芯のための可動ができるように係止する調芯可能係止部を含む固定部材と、を有する中継用コネクタユニットにおいて、
前記固定部材は、
前記一方のコネクタ嵌合口に向ける側の端面から前記中継用コネクタの軸方向に沿って前記複数の電線を前記固定部材の内方に引き込んだ位置で該複数の電線を束ねるように外周を囲う電線束外周囲い部
を有することを特徴とする中継用コネクタユニット。
【請求項２】
前記電線束外周囲い部は、
前記調芯可能係止部によって設定した前記中継用コネクタの調芯のための可動に前記複数の電線が追従できる最小限の距離に前記電線束外周囲い部までの前記複数の電線の引き込み長さを調整する
ことを特徴とする請求項１に記載の中継用コネクタユニット。
【請求項３】
前記調芯可能係止部は、
前記固定部材の本体部分を構成する部材本体部に設け、
前記電線束外周囲い部は、
Ｕ字状に切り欠かいたＵ字状切り欠き部の内縁面で前記複数の電線の束の外周の一部を囲うように前記部材本体部に一体的に設けた板状の囲い部と、
前記部材本体部とは別体に設け、前記Ｕ字状切り欠き部の開口を塞ぐように前記部材本体部に取り付けるカバーと、
を有し、
前記囲い部と前記カバーとによって前記複数の電線を束ねるように外周を囲うことを特徴とする請求項１または２に記載の中継用コネクタユニット。
【請求項４】
前記複数の電線を前記中継用コネクタの軸方向に対し直交方向に屈曲して配索する場合、前記カバーは、屈曲して延在する前記複数の電線に沿って延在する
ことを特徴とする請求項３に記載の中継用コネクタユニット。
【発明の詳細な説明】
【技術分野】
【０００１】
本発明は、二つのコネクタ嵌合口のうち一方のコネクタ嵌合口側から複数の電線が接続する中継用コネクタと、中継用コネクタを取り付け先に固定する固定部材と、を有する中継用コネクタユニットに関する。
【背景技術】
【０００２】
従来、車両の電気配線に中継用コネクタを多く用いる。例えば、Ａ／Ｔケース（オートマチックトランスミッションケース）の内部と外部との接続に用いる中継用コネクタは、中継用コネクタを取り付け先に固定するための部材である固定部材と合わせて中継用コネクタユニットとして用いる。
このような中継用コネクタユニットは、二つのコネクタ嵌合口のうち一方のコネクタ嵌合口側から複数の電線が接続する中継用コネクタと、一方のコネクタ嵌合口側から中継用コネクタを調芯のための可動ができるように係止するコネクタ調芯可能係止部を含む固定部材と、を有する。
【０００３】
例えば、特許文献１には、中継用コネクタ本体をブラケット（固定部材）に対し、９０°変位した２箇所に設けた第１のブラケット受け具及び第２のブラケット受け具によって前後、左右方向に揺動可能かつ弾性的に支持すると共に、上下方向へのスライド可能状態で取付けている中継用コネクタユニットが記載されている。
【先行技術文献】
【特許文献】
【０００４】
【特許文献１】特開２００９−２７２２２６号公報
【発明の概要】
【発明が解決しようとする課題】
【０００５】
しかしながら、特許文献１に記載された中継用コネクタユニット２００は、図１２に示すように、複数の電線Ｗが矢印Ｄに示すように横方向に引っ張られた場合、係止孔と係止突起との係止状態における隙間あるいは第一、あるいは第二ブラケット受け具の弾性に起因して、ブラケット（固定部材）２２０への正規の取付方向に対して中継用コネクタ２１０の姿勢が大きく傾くおそれがあり、中継用コネクタ２１０を取り付け先３００の取付穴３１０に挿通し難くなり、中継用コネクタユニット２００の取り付け先３００へ取り付け作業が煩雑になるという問題があった。
【０００６】
本発明は、上記に鑑みてなされたものであって、相手コネクタに対する調芯の為の可動が可能であり、取り付け先への取り付け作業を容易にすることができる中継用コネクタユニットを提供することを目的とする。
【課題を解決するための手段】
【０００７】
上述した課題を解決し、目的を達成するために、本発明の請求項１に係る中継用コネクタユニットは、二つのコネクタ嵌合口のうち一方のコネクタ嵌合口側から複数の電線が接続する中継用コネクタと、前記中継用コネクタを取り付け先に固定するための部材であり、前記一方のコネクタ嵌合口側から前記中継用コネクタを調芯のための可動ができるように係止する調芯可能係止部を含む固定部材と、を有する中継用コネクタユニットにおいて、前記固定部材は、前記一方のコネクタ嵌合口に向ける側の端面から前記中継用コネクタの軸方向に沿って前記複数の電線を前記固定部材の内方に引き込んだ位置で該複数の電線を束ねるように外周を囲う電線束外周囲い部を有することを特徴とする。
【０００８】
また、本発明の請求項２に係る中継用コネクタユニットは、上記の発明において、前記電線束外周囲い部は、前記調芯可能係止部によって設定した前記中継用コネクタの調芯のための可動に前記複数の電線が追従できる最小限の距離に前記電線束外周囲い部までの前記複数の電線の引き込み長さを調整することを特徴とする。
【０００９】
また、本発明の請求項３に係るフラット中継用コネクタユニットは、上記の発明において、前記調芯可能係止部は、前記固定部材の本体部分を構成する部材本体部に設け、前記電線束外周囲い部は、Ｕ字状に切り欠かいたＵ字状切り欠き部の内縁面で前記複数の電線の束の外周の一部を囲うように前記部材本体部に一体的に設けた板状の囲い部と、前記部材本体部とは別体に設け、前記Ｕ字状切り欠き部の開口を塞ぐように前記部材本体部に取り付けるカバーと、を有し、前記囲い部と前記カバーとによって前記複数の電線を束ねるように外周を囲うことを特徴とする。
【００１０】
また、本発明の請求項４に係る中継用コネクタユニットは、上記の発明において、前記複数の電線を前記中継用コネクタの軸方向に対し直交方向に屈曲して配索する場合、前記カバーは、屈曲して延在する前記複数の電線に沿って延在することを特徴とする。
【発明の効果】
【００１１】
本発明の請求項１に係る中継用コネクタユニットは、前記中継用コネクタと、前記固定部材との組み付け完了状態において、前記電線束外周囲い部が前記複数の電線を前記固定部材の内方に引き込んだ位置で束ねた前記複数の電線の外周を囲うようにしているので、前記複数の電線の前記電線束外周囲い部まで引き込んだ部分が前記中継用コネクタの調芯のための可動に追従して可動し、しかも、前記複数の電線が横方向に引っ張られた場合、束ねた前記複数の電線の外周が前記電線束外周囲い部に接触し、前記中継用コネクタが前記固定部材に対して大きく傾くことを防止することができるので、相手コネクタに対する調芯の為の可動が可能であり、取り付け先への取り付け作業を容易にすることができる。
【００１２】
本発明の請求項２に係る中継用コネクタユニットは、前記電線束外周囲い部が前記調芯可能係止部によって設定した前記中継用コネクタの調芯のための可動に前記複数の電線が追従できる最小限の距離に前記複数の電線の引き込み長さを調整するので、当該中継用コネクタユニットの軸方向の寸法を小さく抑えることができる。
【００１３】
本発明の請求項３に係る中継用コネクタユニットは、前記電線束外周囲い部を前記囲い部と、前記囲い部とは別体の前記カバーとによって構成しているので、容易に前記複数の電線を束ねるように外周を囲うことができる。
【００１４】
本発明の請求項４に係る中継用コネクタユニットは、前記複数の電線が配索方向である横方向に引っ張られた場合、前記カバーが前記複数の電線の屈曲部分周辺を前記中継用コネクタの軸方向に略直角な方向にガイドするため、束ねた前記複数の電線の外周が前記電線束外周囲い部に接触し易くなり、より確実に前記中継用コネクタが前記固定部材に対して傾くことを防止することができる。
【図面の簡単な説明】
【００１５】
【図１】図１は、本発明の実施例に係る中継用コネクタユニットの分解斜視図である。
【図２】図２は、図１に示す中継用コネクタユニットの斜視図である。
【図３】図３は、図２とは異なる方向から視た中継用コネクタユニットの斜視図である。
【図４】図４は、（ａ）が中継用コネクタユニットを前側から視た図であり、（ｂ）が（ａ）の電線束外周囲い部周辺のＡ−Ａ線断面図である。
【図５】図５は、（ａ）が中継用コネクタユニットを右側から視た図であり、（ｂ）が（ａ）の電線束外周囲い部周辺のＢ−Ｂ線断面図である。
【図６】図６は、中継用コネクタユニットを左側から視た係止突片部周辺の断面図である。
【図７】図７は、中継用コネクタユニットを前側から視た係止突片部周辺の断面図である。
【図８】図８は、中継用コネクタユニットを前側から視た一対の係止爪部周辺の断面図である。
【図９】図９は、中継用コネクタを下方から視た図である。
【図１０】図１０は、中継用コネクタユニット１の組み立て手順を示す図である。
【図１１】図１１は、本発明の実施例に係る中継用コネクタユニットの変形例の中継用コネクタユニットの斜視図である。
【図１２】図１２は、従来技術の問題点を説明するための図である。
【発明を実施するための形態】
【００１６】
図１は、本発明の実施例に係る中継用コネクタユニット１の分解斜視図である。図２は、図１に示す中継用コネクタユニット１の斜視図である。図３は、図２とは異なる方向から視た中継用コネクタユニット１の斜視図である。図４は、（ａ）が中継用コネクタユニット１を前側から視た図であり、（ｂ）が（ａ）の電線束外周囲い部周辺８０のＡ−Ａ線断面図である。図５は、（ａ）が中継用コネクタユニット１を右側から視た図であり、（ｂ）が（ａ）の電線束外周囲い部周辺８０のＢ−Ｂ線断面図である。図６は、中継用コネクタユニット１を左側から視た係止突片部７２ａ周辺の断面図である。図７は、中継用コネクタユニット１を前側から視た係止突片部７２ａ周辺の断面図である。図８は、中継用コネクタユニット１を前側から視た一対の係止爪部７１ａ周辺の断面図である。図９は、中継用コネクタ１０を下方から視た図である。
なお、本発明の実施例では説明の便宜上、図中に示すように前後、左右及び上下方向を定義する。
また、図１−図８には、中継用コネクタ１０に接続する二つの相手コネクタＣのうちの一方の相手コネクタＣについても図示している。
【００１７】
本発明の実施例に係る中継用コネクタユニット１は、例えば、Ａ／Ｔケースの内部と外部との接続に用いるものである。この中継用コネクタユニット１は、二つのコネクタ嵌合口１２ａ、１３ａのうち一方のコネクタ嵌合口１３ａ側から複数の電線Ｗが接続する中継用コネクタ１０と、中継用コネクタ１０を取り付け先に固定するための部材であり、一方のコネクタ嵌合口１３ａ側から中継用コネクタ１０を調芯のための可動ができるように係止する調芯可能係止部７０を含む固定部材５０と、を有する。
なお、複数の電線Ｗは、チューブＴによって束ね、各電線Ｗの端末部の不図示の端子を介して相手コネクタＣに組み込む。
また、この実施例では、二つのコネクタ嵌合口１２ａ、１３ａから嵌合する二つの相手コネクタＣのうち一方の相手コネクタＣのみ示し、他方の相手コネクタについては省略し、図示しない。
【００１８】
まず、中継用コネクタ１０について説明する。
中継用コネクタ１０は、筒状の絶縁材からなるコネクタ本体部１１の軸方向両端にコネクタ嵌合口１２ａ、１３ａを設け、これら二つのコネクタ嵌合口１２ａ、１３ａから各相手コネクタが嵌合する。
【００１９】
コネクタ本体部１１は二つの嵌合凹部１２、１３を形成するように筒内部を区画する隔壁１４を設け、この隔壁１４を貫通するように配置した複数の端子１５に各相手コネクタＣの不図示の端子が接続する。
この中継用コネクタ１０は、調芯可能係止部７０と係止する調芯可能被係止部２０を有する。
【００２０】
調芯可能被係止部２０は、中継用コネクタ１０の下端部の外周面に沿って後述する第一調芯可能係止部７１に対応する位置に設けた第一調芯可能被係止部３０、および後述する第二調芯可能係止部に対応する位置に設けた第二調芯可能被係止部４０を有する。
【００２１】
第一調芯可能被係止部３０は、中継用コネクタ１０の固定部材５０に対する左右方向の移動を規制する左右方向規制部３１と、中継用コネクタ１０の固定部材５０に対する上下方向の移動を規制する上下方向規制部３２と、を有する。
【００２２】
左右方向規制部３１は、上面視コの字状に外周面１０ａに突設した囲い壁３１ａと、囲い壁３１ａによって形成した囲い空間内を二つに区画する隔壁３１ｂとによって一対の係止孔３１ｃ、３１ｃを形成する。
【００２３】
上下方向規制部３２は、囲い壁３１ａの上方側で外周面１０ａから迫出した迫出し部１６の下面１６ａと、左右方向規制部３１の隔壁３１ｂの上端縁面３１ｂｂとで後述する一対の係止爪部７１ａ、７１ａが上下方向で突き当たる面を構成する。
【００２４】
第二調芯可能被係止部４０は、下方に開口を向けたフード状に外周面１０ａに突設したフード部４１に後述する係止突片部７２ａが挿通する係止穴４１ａを形成する部分である。
【００２５】
次に、固定部材５０について説明する。
固定部材５０は、金属材からなり、固定部材５０の本体部分を構成する部材本体部６０と、部材本体部６０の後述する延在部６３の上方を覆うカバー９０と、を有する。
【００２６】
部材本体部６０は、上面視コの字状をなし、コの字の閉じた側の周辺が上段となるように段差状に形成する。この部材本体部６０は、中継用コネクタ１０を取り付けるコネクタ取付部６１と、複数の電線Ｗが中継用コネクタ１０の軸に対してほぼ直角に屈曲して伸びる方向に延在する延在部６３と、を有する。
【００２７】
コネクタ取付部６１は、部材本体部６０の段差の上段部を形成する部分であり、コの字状の壁を形成する前側壁部６１ａ、上段右側壁部６１ｂ、上段左側壁部６１ｃによって外郭を構成する。
このようなコネクタ取付部６１は、調芯可能係止部７０と、電線束外周囲い部８０と、を有する。
【００２８】
調芯可能係止部７０は、第一調芯可能被係止部３０に係止する第一調芯可能係止部７１と、第二調芯可能被係止部４０に係止する第二調芯可能係止部７２と、を有する。
【００２９】
第一調芯可能係止部７１は、前側壁部６１ａの上端縁面の略中央付近に先端の係止突起７１ｂを向かい合わして突設した一対の係止爪部７１ａ、７１ａを有する。
【００３０】
第二調芯可能係止部７２は、上段左側壁部６１ｃの上端縁面に片状に突起した係止突片部７２ａを有する。
【００３１】
このように中継用コネクタ１０に調芯可能被係止部２０を設ける一方、固定部材５０に調芯可能係止部７０を設けることによって、中継用コネクタ１０を固定部材５０に取り付ける場合、一対の係止爪部７１ａ、７１ａを各係止孔３１ｃ、３１ｃに挿通することによって、第一調芯可能係止部７１と、第一調芯可能被係止部３０とが係止し、係止突片部７２ａを係止穴４１ａに挿通することによって、第二調芯可能係止部７２と、第二調芯可能被係止部４０とが係止する。
【００３２】
延在部６３は、部材本体部６０の段差の下段部を形成する部分であり、上段右側壁部６１ｂおよび上段左側壁部６１ｃのそれぞれに連接する下段右側壁部６３ｂおよび下段左側壁部６３ｃを有する。
この延在部６３は、下段右側壁部６３ｂおよび下段左側壁部６３ｃの上端縁面にカバー９０を載置するようになっている。
【００３３】
電線束外周囲い部８０は、一方のコネクタ嵌合口１３ａに向ける側の固定部材５０の端面６０ａから中継用コネクタ１０の軸方向に沿って複数の電線Ｗを固定部材５０の内方に引き込んだ位置で複数の電線Ｗを束ねるように外周Ｗａを囲う部分である。
この電線束外周囲い部８０は、Ｕ字状に切り欠かいたＵ字状切り欠き部８１ａの内縁面で複数の電線Ｗの束の外周Ｗａの一部を囲うように部材本体部６０に一体的に設けた板状の囲い部８１と、部材本体部６０とは別体に設け、Ｕ字状切り欠き部８１ａの開口を塞ぐように部材本体部６０に取り付けるカバー９０と、で構成する。
【００３４】
囲い部８１は、コネクタ取付部６１の端面６０ａから所定間隔下方の位置に前側壁部６１ａ、上段右側壁部６１ｂ、上段左側壁部６１ｃの内面に沿って一体的に設けた板状部分である。
【００３５】
カバー９０は、囲い部８１に一端部が重なるように部材本体部６０に取り付けることによってＵ字状切り欠き部８１ａの開口を塞ぐ。このカバー９０は、部材本体部６０に係止するための一対の係止溝部９１、９１を有する。
【００３６】
各係止溝部９１、９１は、上段右側壁部６１ｂおよび上段左側壁部６１ｃの内面に突起した係止突起６２、６２が嵌ることによってカバー９０を部材本体部６０に係止する。
また、カバー９０は、屈曲して延在する複数の電線Ｗに沿って延在する。
【００３７】
このような電線束外周囲い部８０は、調芯可能係止部７０によって設定した中継用コネクタ１０の調芯のための可動に複数の電線Ｗが追従できる最小限の距離に電線束外周囲い部８０までの複数の電線の引き込み長さＨを調整する。
【００３８】
また、中継用コネクタユニット１は、調芯可能被係止部２０と調芯可能係止部７０との係止状態における、各係止部分の隙間間隔を調整することによって、調芯可能係止部７０が中継用コネクタ１０を調芯のための可動ができるように係止するようになっている。
【００３９】
より具体的には、図６に示すように、係止突片部７２ａと、係止穴４１ａとが前後方向で所定の隙間Ｓ１を形成するように調整している。
【００４０】
また、図７に示すように、係止突片部７２ａと、係止穴４１ａとが、左右方向で所定の隙間Ｓ２を形成するように調整している。
【００４１】
さらに、図８に示すように、一対の係止爪部７１ａの係止突起７１ｂが隔壁３１ｂの上端縁面３１ｂｂと迫出し部１６の下面１６ａとの間で、上下方向で所定の隙間Ｓ３を形成するように調整している。
【００４２】
次に、図１０を用いて、中継用コネクタユニット１の組み立て手順について説明する。
図１０は、中継用コネクタユニット１の組み立て手順を示す図である。
なお、この作業の前準備として、中継用コネクタユニット１に一方の相手コネクタＣを接続する。
【００４３】
まず、作業者は、コネクタ取付部６１に中継用コネクタ１０をセットする（図１０（ａ）参照）。このとき、相手コネクタＣから延びる複数の電線ＷをＵ字状切り欠き部８１ａに通しつつ、調芯可能被係止部２０と調芯可能係止部７０とを係止する。
【００４４】
次に、作業者は、カバー９０を部材本体部６０に取り付けることによって中継用コネクタユニット１の組み立てを完了する（図１０（ｂ）、（ｃ）参照）。このとき、カバー９０の一対の係止溝部９１、９１と部材本体部６０の一対の係止突起６２、６２とを係止することによって、カバー９０が囲い部８１のＵ字状切り欠き部８１ａの開口を塞ぐように部材本体部６０に取り付けられる。
これにより、電線束外周囲い部８０が一方のコネクタ嵌合口１３ａに向ける側の端面６０ａから中継用コネクタ１０の軸方向に沿って複数の電線Ｗを中継用コネクタ１０の内方に引き込んだ位置で複数の電線Ｗを束ねるように外周Ｗａを囲う。
【００４５】
このような中継用コネクタユニット１は、中継用コネクタ１０と、固定部材５０との組み付け完了状態において、複数の電線Ｗが横方向（図中、前後、左右方向）に引っ張られた場合、束ねた複数の電線Ｗの外周Ｗａが電線束外周囲い部８０に接触する。
また、電線束外周囲い部８０が複数の電線Ｗを固定部材５０の内方に引き込んだ位置で束ねた複数の電線Ｗの外周Ｗａを囲うようにしているので、複数の電線Ｗの電線束外周囲い部８０まで引き込んだ部分が中継用コネクタ１０の調芯のための可動に追従して可動する。
【００４６】
本発明の実施例に係る中継用コネクタユニット１は、中継用コネクタ１０と、固定部材５０との組み付け完了状態において、電線束外周囲い部８０が複数の電線Ｗを固定部材５０の内方に引き込んだ位置で束ねた複数の電線Ｗの外周Ｗａを囲うようにしているので、複数の電線Ｗの電線束外周囲い部８０まで引き込んだ部分が中継用コネクタ１０の調芯のための可動に追従して可動し、しかも、複数の電線Ｗが横方向に引っ張られた場合、束ねた複数の電線Ｗの外周Ｗａが電線束外周囲い部８０に接触し、中継用コネクタ１０が固定部材５０に対して大きく傾くことを防止することができるので、不図示の相手コネクタに対する調芯の為の可動が可能であり、取り付け先への取り付け作業を容易にすることができる。
【００４７】
また、本発明の実施例に係る中継用コネクタユニット１は、電線束外周囲い部８０が調芯可能係止部７０によって設定した中継用コネクタ１０の調芯のための可動に複数の電線Ｗが追従できる最小限の距離に複数の電線Ｗの引き込み長さＨを調整するので、中継用コネクタユニット１の軸方向の寸法を小さく抑えることができる。
【００４８】
また、本発明の実施例に係る中継用コネクタユニット１は、電線束外周囲い部８０を囲い部８１と、囲い部８１とは別体のカバー９０とによって構成しているので、容易に複数の電線Ｗを束ねるように外周Ｗａを囲うことができる。
【００４９】
また、本発明の実施例に係る中継用コネクタユニット１は、複数の電線Ｗが配索方向である横方向に引っ張られた場合、カバー９０が複数の電線Ｗの屈曲部分周辺を中継用コネクタ１０の軸方向に略直角な方向にガイドするため、束ねた複数の電線Ｗの外周Ｗａが電線束外周囲い部８０に接触し易くなり、より確実に中継用コネクタ１０が固定部材５０に対して傾くことを防止することができる。
【００５０】
（変形例）
次に、図１１を用いて本発明の実施例に係る中継用コネクタユニット１の変形例について説明する。図１１は、本発明の実施例に係る中継用コネクタユニット１の変形例の中継用コネクタユニット２の斜視図である。
この変形例の中継用コネクタユニット２は、カバー１２０が複数の電線Ｗに沿って延在しない点で実施例の中継用コネクタユニット１と異なる。
なお、その他の構成は実施例と同様であり、実施例と同一構成部分には同一符号を付している。
【００５１】
カバー１２０は、部材本体部１１０とは別体に設け、Ｕ字状切り欠き部８１ａの開口を塞ぐことができる程度の幅に設定して部材本体部１１０に取り付ける。
【００５２】
部材本体部１１０は、延在部１１２が上端縁面にカバー１２０を載置するようになっている。
【００５３】
この変形例の中継用コネクタユニット２は、実施例の中継用コネクタユニット２と同様に、電線束外周囲い部１３０が複数の電線Ｗを固定部材１００の内方に引き込んだ位置で束ねた複数の電線Ｗの外周Ｗａを囲うようにしているので、複数の電線Ｗの電線束外周囲い部１３０まで引き込んだ部分が中継用コネクタ１０の調芯のための可動に追従して可動し、しかも、複数の電線Ｗが横方向に引っ張られた場合、束ねた複数の電線Ｗの外周Ｗａが電線束外周囲い部１３０に接触し、中継用コネクタ１０が固定部材１００に対して傾くことを防止することができるので、不図示の相手コネクタに対する調芯の為の可動が可能であり、取り付け先への取り付け作業を容易にすることができる。
【００５４】
また、この変形例の中継用コネクタユニット２は、カバー１２０および部材本体部１１０の寸法を小さく抑えることができ、結果的に、実施例の中継用コネクタユニット１に比して中継用コネクタユニット２自体の寸法を小さく抑えることができる。
【００５５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５６】
１、２      中継用コネクタユニット
１０        中継用コネクタ
１０ａ      外周面
１１        コネクタ本体部
１２、１３  嵌合凹部
１２ａ、１３ａ  コネクタ嵌合口
１４        隔壁
１５        端子
１６        迫出し部
１６ａ      下面
２０        調芯可能被係止部
３０        第一調芯可能被係止部
３１        左右方向規制部
３１ａ      囲い壁
３１ｂ      隔壁
３１ｂｂ    上端縁面
３１ｃ      係止孔
３２        上下方向規制部
４０        第二調芯可能被係止部
４１        フード部
４１ａ      係止穴
５０、１００  固定部材
６０、１１０  部材本体部
６０ａ      端面
６１、１１１  コネクタ取付部
６１ａ      前側壁部
６１ｂ      上段右側壁部
６１ｃ      上段左側壁部
６２        係止突起
６３、１１２  延在部
６３ｂ      下段右側壁部
６３ｃ      下段左側壁部
７０        調芯可能係止部
７１        第一調芯可能係止部
７１ａ      係止爪部
７１ｂ      係止突起
７２        第二調芯可能係止部
７２ａ      係止突片部
８０、１３０  電線束外周囲い部
８１        囲い部
８１ａ      Ｕ字状切り欠き部
９０、１２０  カバー
９１        係止溝部
Ｗ          電線
Ｗａ        外周
Ｔ          チューブ
Ｃ          相手コネクタ
【図１】
2015041476.tif 000003
【図２】
2015041476.tif 000004
【図３】
2015041476.tif 000005
【図４】
2015041476.tif 000006
【図５】
2015041476.tif 000007
【図６】
2015041476.tif 000008
【図７】
2015041476.tif 000009
【図８】
2015041476.tif 000010
【図９】
2015041476.tif 000011
【図１０】
2015041476.tif 000012
【図１１】
2015041476.tif 000013
【図１２】
2015041476.tif 000014